(57)【要約】      （修正有）【課題】カバーで保護される複数の電子機器の長時間の利用を可能にすること。【解決手段】電子機器カバー３０は、第１表示機器及び第２表示機器に電力を供給する電力部７０を備える。バッテリー７１は、第１表示機器及び第２表示機器の電源として利用可能な蓄電手段である。バッテリー７１は、第２固定部に固定されている。配線７３は、バッテリー７１と、第１電子機器に接続される端子と、第２電子機器に接続される端子とを結線する配線である。配線７３は、第１表示機器が固定される第１固定部、第２表示機器が固定される第２固定部及び両固定部を連結する連結部６０に内蔵されている。配線７３は、第１固定部に固定された状態の第１電子機器及び第２固定部に固定された状態の第２電子機器とバッテリー７１とを結線して電力を供給させる。【選択図】図２
2020120182.tif 000002
【特許請求の範囲】
【請求項１】
板状の第１電子機器及び板状の第２電子機器が着脱可能に固定される折り畳み可能なカバー部と、
前記カバー部に固定される電源部と、
前記カバー部に固定された状態の前記第１電子機器、前記第２電子機器及び前記電源部を結線して電力を供給させる結線部と
を備える電子機器カバー。
【請求項２】
前記電源部は、前記カバー部に対して着脱可能であり、給電用の端子を有し、
前記結線部は、前記給電用の端子に接続する
請求項１に記載の電子機器カバー。
【請求項３】
前記第１電子機器は、前記カバー部に対して着脱可能であり、充電用の端子を有し、
前記結線部は、前記第１電子機器の前記充電用の端子に接続する
請求項１又は２に記載の電子機器カバー。
【請求項４】
前記充電用の端子は、前記第１電子機器が外部電源から充電する際に用いられる端子である
請求項３に記載の電子機器カバー。
【請求項５】
前記充電用の端子は、前記カバー部に固定された前記第１電子機器の当該カバー部に対向する面に設けられた端子であり、
前記結線部は、前記対向する面に設けられた端子に接続する
請求項３又は４に記載の電子機器カバー。
【請求項６】
前記第１電子機器及び前記第２電子機器に対して各々の状態に応じた電力を前記電源部から供給させる制御部を備える
請求項１から５のいずれか１項に記載の電子機器カバー。
【請求項７】
前記制御部は、前記第１電子機器及び前記第２電子機器のうち電力残量が少ない方により多くの電力を供給させる
請求項６に記載の電子機器カバー。
【請求項８】
前記制御部は、前記第１電子機器及び前記第２電子機器のうち電力の消費速度が速い方により多くの電力を供給させる
請求項６又は７に記載の電子機器カバー。
【請求項９】
前記制御部は、前記第１電子機器及び前記第２電子機器のうち一方が動作していない場合、動作している方により多くの電力を供給させる
請求項６から８のいずれか１項に記載の電子機器カバー。
【発明の詳細な説明】
【技術分野】
【０００１】
本発明は、電子機器を保護する技術に関する。
【背景技術】
【０００２】
電子機器を保護する技術が知られている。特許文献１には、付勢された蓋部が素早く閉じることで地面に落としても表示面を保護するスマートフォン用ケースが開示されている。
【先行技術文献】
【特許文献】
【０００３】
【特許文献１】特開２０１６−１１９５７３公報
【発明の概要】
【発明が解決しようとする課題】
【０００４】
スマートフォン等の電子機器を保護するカバーにバッテリーを取り付け、電子機器の長時間の利用を可能にすることが行われている。一方で、同時に複数の電子機器を利用する使い方も増えている。
そこで、本発明は、カバーで保護される複数の電子機器の長時間の利用を可能にすることを目的とする。
【課題を解決するための手段】
【０００５】
上記目的を達成するために、本発明は、板状の第１電子機器及び板状の第２電子機器が着脱可能に固定される折り畳み可能なカバー部と、前記カバー部に固定される電源部と、前記カバー部に固定された状態の前記第１電子機器、前記第２電子機器及び前記電源部を結線して電力を供給させる結線部とを備える電子機器カバーを提供する。
【０００６】
また、前記電源部は、前記カバー部に対して着脱可能であり、給電用の端子を有し、前記結線部は、前記給電用の端子に接続していてもよい。
【０００７】
また、前記第１電子機器は、前記カバー部に対して着脱可能であり、充電用の端子を有し、前記結線部は、前記第１電子機器の前記充電用の端子に接続してもよい。
【０００８】
また、前記充電用の端子は、前記第１電子機器が外部電源から充電する際に用いられる端子であってもよい。
【０００９】
また、前記充電用の端子は、前記カバー部に固定された前記第１電子機器の当該カバー部に対向する面に設けられた端子であり、前記結線部は、前記対向する面に設けられた端子に接続してもよい。
【００１０】
また、前記第１電子機器及び前記第２電子機器に対して各々の状態に応じた電力を前記電源部から供給させる制御部を備えていてもよい。
【００１１】
また、前記制御部は、前記第１電子機器及び前記第２電子機器のうち電力残量が少ない方により多くの電力を供給させてもよい。
【００１２】
また、前記制御部は、前記第１電子機器及び前記第２電子機器のうち電力の消費速度が速い方により多くの電力を供給させてもよい。
【００１３】
また、前記制御部は、前記第１電子機器及び前記第２電子機器のうち一方が動作していない場合、動作している方により多くの電力を供給させてもよい。
【発明の効果】
【００１４】
本発明によれば、カバーで保護される複数の電子機器の長時間の利用を可能にすることができる。
【図面の簡単な説明】
【００１５】
【図１】実施例に係るユーザ端末の外観を表す図
【図２】電子機器カバーの外観を表す図
【図３】折り畳まれたユーザ端末を表す図
【図４】第１電子機器のハードウェア構成を表す図
【図５】第２電子機器のハードウェア構成を表す図
【図６】電子機器カバーのハードウェア構成を表す図
【図７】充電制御における動作手順の一例を表す図
【図８】変形例の給電制御における動作手順の一例を表す図
【図９】変形例の給電制御における動作手順の別の一例を表す図
【図１０】変形例の電子機器カバーの外観を表す図
【図１１】変形例の電子機器カバーの外観を表す図
【図１２】変形例の電子機器の外観を表す図
【発明を実施するための形態】
【００１６】
［１］実施例
図１は実施例に係るユーザ端末１の外観を表す。ユーザ端末１は、折り畳み可能な２画面の端末である。ユーザ端末１は、いずれも表示機能を有する電子機器である第１表示機器１０と、第２表示機器２０と、それらの電子機器を衝撃から保護する電子機器カバー３０とを備える。
【００１７】
第１表示機器１０は、表示機能の他に通信機能、通話機能及び撮像機能等を有するいわゆるスマートフォンである。第２表示機器２０は、表示機能の他に、第１表示機器１０とデータをやり取りする通信機能を有するディスプレイである。第１表示機器１０及び第２表示機器２０は、いずれも板状の電子機器である。第１表示機器１０は本発明の「第１電子機器」の一例であり、第１表示機器１０は本発明の「第２電子機器」の一例である。
【００１８】
第１表示機器１０は、第２表示機器２０と通信可能な状態では、第２表示機器２０に表示される画像も制御して、例えば２画面に別々の画像を表示させる２画面表示と、２画面を１つの表示領域として２画面に跨る画像を表示させる全画面表示とを制御する。電子機器カバー３０は、第１表示機器１０及び第２表示機器２０が着脱可能に固定され、固定された状態の両表示機器を衝撃から保護する。
【００１９】
電子機器カバー３０は、第１固定部４０と、第２固定部５０と、連結部６０とを備える。第１固定部４０は、第１表示機器１０が着脱可能に固定され、第２固定部５０は、第２表示機器２０が着脱可能に固定される。連結部６０は、第１固定部４０及び第２固定部５０を連結する。第１固定部４０及び連結部６０の境目と、第２固定部５０及び連結部６０の境目とは、いずれも折り曲げ可能に連結されている。
【００２０】
第１固定部４０は、枠部４１と、板部４２と、端子４３とを有する。枠部４１は、板状の第１表示機器１０の側面を取り囲む枠の形をした部分であり、嵌め込まれた第１表示機器１０の側面を保護する。板部４２は、板の形をした部分であり、枠部４１の一方の開口を閉じるように設けられている。板部４２は、枠部４１に嵌め込まれた第１表示機器１０を枠部４１と共に保持し、また、その背面を保護する。
【００２１】
第１表示機器１０は、側面に充電用の端子１１を有する。端子１１は、第１表示機器１０が外部装置と通信する際と、第１表示機器１０が外部電源（家庭用電源等）から充電する際とに用いられる凹型の端子である。端子４３は、この端子１１と接続する通信及び給電に用いられる凸型の端子である。第１表示機器１０を枠部４１に嵌め込む際は、まず端子４３を端子１１に差し込む。その際、端子４３の向きを変えられるように、枠部４１は撓むようになっている。
【００２２】
図１（ａ）では枠部４１に嵌め込む前の第１表示機器１０が表され、図１（ｂ）では枠部４１に嵌め込まれた後の第１表示機器１０が表されている。枠部４１に嵌め込まれた第１表示機器１０は、表示面１２を露出させて電子機器カバー３０に固定された状態になる。第２固定部５０は、枠部５１と、板部５２と、端子５３とを有する。これらは、第１固定部４０の枠部４１、板部４２及び端子４３と基本的に同じ部品である。
【００２３】
但し、枠部５１、板部５２及び端子５３は、第１表示機器１０ではなく第２表示機器２０を対象としている点が異なっている。枠部５１に嵌め込まれた第２表示機器２０は、表示面２２を露出させて電子機器カバー３０に固定された状態になる。第１表示機器１０及び第２表示機器２０がどちらも電子機器カバー３０に固定されると、表示面１２及び表示面２２が並んで画像を表示する状態になる。
【００２４】
図２は電子機器カバー３０の外観を表す。図２では第１固定部４０及び第２固定部５０を開いた状態の電子機器カバー３０が表されている。図２（ａ）では正面から見た電子機器カバー３０が表され、図２（ｂ）では下側から見た電子機器カバー３０が表されている。開いた状態の電子機器カバー３０においては、枠部４１が手前で板部４２が奥になる向きが正面向きであり、端子４３及び端子５３が設けられている方が下側であるものとする。
【００２５】
開いた状態の電子機器カバー３０を正面から見ると、図２（ａ）に表すように横長の長方形の形をしている。図２では、電子機器カバー３０の長辺に沿った方向をＸ軸方向、短辺に沿った方向をＹ軸方向、Ｘ軸方向及びＹ軸方向に直交する方向をＺ軸方向として示している。Ｘ軸方向は正面から見て右向きが正方向、Ｙ軸方向は正面から見て下向きが正方向、Ｚ軸方向は正面から裏側に向かう方向を正方向とする（図２（ａ）、（ｂ）はそれぞれＺ軸正方向、Ｙ軸負方向に見ている）。
【００２６】
電子機器カバー３０は、電力部７０を備える。電力部７０は、第１表示機器１０及び第２表示機器２０に電力を供給する部分である。電力部７０は、バッテリー７１と、端子７２と、配線７３とを備える。バッテリー７１は、第１表示機器１０及び第２表示機器２０の電源として利用可能な蓄電手段である。バッテリー７１は本発明の「電源部」の一例である。バッテリー７１は、第２固定部５０の板部５２に内蔵されることで、第２固定部５０に固定されている。
【００２７】
端子７２は、バッテリー７１の充電に用いられる凹型の端子であり、板部５２の側面から外部に露出している。端子７２を外部電源と接続することでバッテリー７１が充電される。配線７３は、バッテリー７１と、第１表示機器１０に接続される端子４３と、第２表示機器２０に接続される端子５３とを結線する（電気的に接続する）配線である。配線７３は本発明の「結線部」の一例である。配線７３は、第１固定部４０、第２固定部５０及び連結部６０に内蔵されている。
【００２８】
配線７３は、第１固定部４０に固定された状態の第１表示機器１０及び第２固定部５０に固定された状態の第２表示機器２０とバッテリー７１とを結線して電力を供給させる。配線７３は本発明の「結線部」の一例である。また、第１表示機器１０及び第２表示機器２０が固定されて折り畳み可能な第１固定部４０、第２固定部５０及び連結部６０は、本発明の「カバー部」の一例である。
【００２９】
配線７３は、第１固定部４０の端子４３に接続することで、第１表示機器１０の端子１１、すなわち第１表示機器１０の充電用の端子に電気的に接続する。また、配線７３は、第２固定部５０の端子５３に接続することで、第２表示機器２０の端子２１、すなわち第２表示機器２０の充電用の端子に電気的に接続する。このように第１表示機器１０及び第２表示機器２０は、各々の充電用の端子がバッテリー７１と結線される。
【００３０】
この結線がされることで、第１表示機器１０及び第２表示機器２０を電子機器カバー３０に固定させるだけで、バッテリー７１から両電子機器への給電が行われる。これにより、バッテリー７１及び配線７３を備えない場合に比べて、電子機器カバー３０のようなカバーで保護される複数の電子機器（第１表示機器１０及び第２表示機器２０）の長時間の利用を可能にすることができる。
【００３１】
また、第１表示機器１０及び第２表示機器２０は、上記のとおり電子機器カバー３０に固定させてバッテリー７１から電力を供給させながら利用することもできるし、電子機器カバー３０から取り外して単独で利用することもできる。また、第１表示機器１０及び第２表示機器２０の充電用の端子は、いずれも外部電源から充電する際に用いられる通常の充電端子である。そのため、電子機器カバー３０用に専用の充電端子を設ける必要がない。
【００３２】
上述したとおり、第１表示機器１０はスマートフォンであり、第２表示機器２０はディスプレイである。そのため、第１表示機器１０の方がプロセッサによる演算処理が多く、発熱量も大きい。ユーザ端末１においては、発熱量が小さい方の第２表示機器２０が固定される第２固定部５０にバッテリー７１を固定することで、第１固定部４０にバッテリー７１を固定する場合に比べて、電子機器及びバッテリー７１が互いを加熱して異常を生じさせることが起こりにくいようにしている。
【００３３】
図３は折り畳まれたユーザ端末１を表す。ユーザ端末１が折り畳まれると、第１固定部４０及び連結部６０の境目と、第２固定部５０及び連結部６０の境目とはいずれも折り曲げられた状態になる。配線７３は、折り曲げ可能なフレキシブル配線であり、この状態でも破損せずに電気的な接続を維持する。なお、連結部６０は、可撓性を有していてもよい。その場合、可撓性を有していない場合に比べて、折り曲げ部分の曲がり方が緩やかになり、配線７３が破損しにくくなる。配線７３が結線する電子機器のハードウェアについて図４を参照して説明する。
【００３４】
図４は第１表示機器１０のハードウェア構成を表す。第１表示機器１０は、プロセッサ２と、メモリ３と、ストレージ４と、通信装置５と、入力装置６と、出力装置７と、バッテリー８と、バス９という各装置を備えるコンピュータである。なお、ここでいう「装置」という文言は、回路、デバイス及びユニット等に読み替えることができる。また、各装置は、１つ又は複数含まれていてもよいし、一部の装置が含まれていなくてもよい。
【００３５】
プロセッサ２は、例えば、オペレーティングシステムを動作させてコンピュータ全体を制御する。プロセッサ２は、周辺装置とのインターフェース、制御回路、演算回路、レジスタなどを含む中央処理回路（ＣＰＵ：Central Processing Unit）で構成されてもよい。また、プロセッサ２は、ＯＳ（Operating System：オペレーティングシステム）及び各種のアプリケーションを含むプログラム（プログラムコード）、ソフトウェアモジュール及びデータ等を、ストレージ４及び／又は通信装置５からメモリ３に読み出し、これらに従って各種の処理を実行する。
【００３６】
各種処理を実行するプロセッサ２は１つでもよいし、２以上であってもよく、２以上のプロセッサ２は、同時又は逐次に各種処理を実行してもよい。また、プロセッサ２は、１以上のチップで実装されてもよい。プログラムは、電気通信回線を介してネットワークから送信されてもよい。メモリ３は、コンピュータ読み取り可能な記録媒体であり、例えば、ＲＯＭ（Read Only Memory）、ＥＰＲＯＭ（Erasable Programmable ＲＯＭ）、ＥＥＰＲＯＭ（Electrically Erasable Programmable ＲＯＭ）及びＲＡＭ（Random Access Memory）等の少なくとも１つで構成されてもよい。
【００３７】
メモリ３は、レジスタ、キャッシュ及びメインメモリ（主記憶装置）等と呼ばれてもよい。メモリ３は、前述したプログラム（プログラムコード）、ソフトウェアモジュール及びデータ等を保存することができる。ストレージ４は、コンピュータが読み取り可能な記録媒体であり、例えば、ハードディスクドライブ、フレキシブルディスク、フラッシュメモリ（例えば、カード、スティック、キードライブ）、磁気ストリップなどの少なくとも１つで構成されてもよい。
【００３８】
ストレージ４は、補助記憶装置と呼ばれてもよい。上述の記憶媒体は、例えば、メモリ３及び／又はストレージ４を含むデータベース、サーバその他の適切な媒体であってもよい。通信装置５は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。
【００３９】
入力装置６は、外部からの入力を受け付ける入力デバイス（例えば、マイクロフォン、スイッチ、ボタン、センサなど）である。出力装置７は、外部への出力を実施する出力デバイス（例えば、ディスプレイ、スピーカ、ＬＥＤランプなど）である。第１表示機器１０においては、入力装置６及び出力装置７は、一体となって構成されるタッチスクリーンを含んでいる。
【００４０】
プロセッサ２及びメモリ３等の各回路は、情報を通信するためのバス９を介して互いにアクセス可能となっている。バッテリー８は、電力を蓄積し、蓄積した電力を各装置に供給する。バッテリー８は、本実施例では、自身が蓄積している電力残量を測定する機能を有している。バス９は、単一のバスで構成されてもよいし、回路間で異なるバスで構成されてもよい。
【００４１】
また、第１表示機器１０は、マイクロプロセッサ、デジタル信号プロセッサ（ＤＳＰ：Digital Signal Processor）、ＡＳＩＣ（Application Specific Integrated Circuit）で構成されてもよい。また、第１表示機器１０は、ＰＬＤ（Programmable Logic Device）、及び、ＦＰＧＡ（Field Programmable Gate Array）等のハードウェアを含んで構成されてもよく、当該ハードウェアにより、各機能の一部又は全てが実現されてもよい。例えば、プロセッサ２は、これらのハードウェアの少なくとも１つで実装されてもよい。
【００４２】
図５は第２表示機器２０のハードウェア構成を表す。第２表示機器２０は、通信装置５と、入力装置６と、出力装置７と、バッテリー８と、バス９という各装置を備える。第２表示機器２０は、上述したとおり単なるディスプレイであるため、プロセッサ２等を備えておらず、自機に結線された第１表示機器１０によって表示を制御される。但し、入力装置６及び出力装置７はタッチスクリーンを含んでおり、第２表示機器２０で行われた操作を受け付けて第１表示機器１０が処理を行うことができる。
【００４３】
図６は電子機器カバー３０のハードウェア構成を表す。電子機器カバー３０は、プロセッサ２と、メモリ３と、ストレージ４と、通信装置５と、バス９からなるコンピュータを備える。このコンピュータは、バッテリー７１から供給される電力で動作し、電子機器カバー３０に内蔵できるように小型に作られている。電子機器カバー３０のプロセッサ２は、バッテリー７１が第１表示機器１０及び第２表示機器２０に供給する電力を制御する給電制御を行う。
【００４４】
図７は給電制御における動作手順の一例を表す。電子機器カバー３０のプロセッサ２は、第１表示機器１０及び第２表示機器２０のいずれかが電子機器カバー３０に固定されると、固定された電子機器に対するバッテリー７１からの給電を開始させる。また、プロセッサ２は、両電子機器が電子機器カバー３０に固定されると、両電子機器に対して均等に電力を供給させる給電制御（均等な給電制御）を開始する。
【００４５】
図７に表す動作手順は、この均等な給電制御が始まることを契機に開始される。まず、プロセッサ２は、第１表示機器１０及び第２表示機器２０の電力残量を測定する（ステップＳ１１）。次に、プロセッサ２は、測定した電力残量の差が閾値未満であるか否かを判断する（ステップＳ１２）。プロセッサ２は、電力残量の差が閾値未満である（ＹＥＳ）と判断した場合、均等な給電制御を継続する（ステップＳ１３）。
【００４６】
また、プロセッサ２は、電力残量の差が閾値未満でない（ＮＯ）と判断した場合、均等な給電ではなく電力残量が多い方の電子機器に供給する電力量に比べて電力残量が少ない方の電子機器に供給する電力量を多くする給電を行わせる（ステップＳ１４）。プロセッサ２は、ステップＳ１３及びＳ１４のあとはステップＳ１１に戻って動作を行う。プロセッサ２は、いずれかの電子機器が電子機器カバー３０から取り外されるまで図７に表す動作手順を行う。
【００４７】
以上のとおり、電子機器カバー３０のプロセッサ２は、第１表示機器１０及び第２表示機器２０に対して各々の状態に応じた電力をバッテリー７１から供給させる。具体的には、プロセッサ２は、第１表示機器１０及び第２表示機器２０のうち電力残量が少ない方に、より多くの電力を供給させる。電子機器カバー３０のプロセッサ２は本発明の「制御部」の一例である。この給電制御が行われると、電力残量の差が閾値前後の値になる状態で推移することになる。
【００４８】
例えば両電子機器の消費電力及びバッテリー容量に大きな差がない場合に、電力残量の差が大きい状態で均等な電力供給を続けると、バッテリー７１に蓄積された電力が尽きたときにその差が残ったままとなる。すると、電力残量が少ない方の電子機器が、電力残量が多い方の電子機器よりも早く電力切れとなって使用できなくなり、その結果、上述した２画面表示及び全画面表示のどちらも利用できなくなる。
【００４９】
本実施例では、図７に表す給電制御を行うことで、バッテリー７１に蓄積された電力が尽きたときの電力残量の差が閾値を少し超えるかそれ以下となるので、この給電制御が行われない場合に比べて、バッテリー７１が切れた後の両電子機器を共に利用可能な時間（２画面表示及び全画面表示が利用可能な時間）を長くすることができる。
【００５０】
［２］変形例
上述した実施例は本発明の実施の一例に過ぎず、以下のように変形させてもよい。
【００５１】
［２−１］給電制御
電子機器カバー３０のプロセッサ２は、実施例と異なる給電制御を行ってもよい。
図８は本変形例の給電制御における動作手順の一例を表す。プロセッサ２は、実施例では電力残量を測定したが、図８の例では、第１表示機器１０及び第２表示機器２０の電力の消費速度を測定する（ステップＳ２１）。
【００５２】
プロセッサ２は、例えば電力残量を定期的に測定することで電力の消費速度を測定する。次に、プロセッサ２は、測定した電力の消費速度の差が閾値未満であるか否かを判断する（ステップＳ２２）。プロセッサ２は、電力の消費速度の差が閾値未満である（ＹＥＳ）と判断した場合、均等な給電制御を継続する（ステップＳ２３）。
【００５３】
また、プロセッサ２は、電力の消費速度の差が閾値未満でない（ＮＯ）と判断した場合、均等な給電ではなく電力の消費速度が大きい方（つまり速い方）の電子機器に供給する電力量に比べて電力の消費速度が小さい方（つまり遅い方）の電子機器に供給する電力量を多くする給電を行わせる（ステップＳ２４）。プロセッサ２は、ステップＳ２３及びＳ２４のあとはステップＳ２１に戻って動作を行う。プロセッサ２は、いずれかの電子機器が電子機器カバー３０から取り外されるまで図８に表す動作手順を行う。
【００５４】
以上のとおり、本変形例の電子機器カバー３０のプロセッサ２は、第１表示機器１０及び第２表示機器２０のうち電力の消費速度が速い方により多くの電力を供給させる。例えば両電子機器の電力残量に大きな差はないが電力の消費速度の差は大きい場合に均等な電力供給を続けると、電力残量の差は次第に大きくなる。そのままバッテリー７１に蓄積された電力が尽きると、その電力残量の差が残ったままとなり、且つ、さらに差が広がっていくので、電力残量が少ない電子機器は早く使用できなくなる。
【００５５】
本変形例では、図８に表す給電制御を行うことで、電力の消費速度の差が大きい（閾値以上である）場合でも、バッテリー７１に蓄積された電力が尽きたときの電力残量の差が小さくなる。その結果、実施例と同様に、この給電制御が行われない場合に比べて、バッテリー７１が切れた後の両電子機器を共に利用可能な時間（２画面表示及び全画面表示が利用可能な時間）を長くすることができる。
【００５６】
なお、本変形例の給電制御は図８に表すものに限らない。
図９は本変形例の給電制御における動作手順の別の一例を表す。プロセッサ２は、図９の例では、第１表示機器１０及び第２表示機器２０の動作状況を監視する（ステップＳ３１）。次に、プロセッサ２は、監視している電子機器のうち一方の電子機器だけが動作中であるか否かを判断する（ステップＳ３２）。
【００５７】
プロセッサ２は、例えば電子機器のプロセッサ２の稼働率を取得し、取得した稼働率が閾値以上であれば電子機器が動作中と判断し、その稼働率が閾値未満であれば電子機器が停止中と判断する。プロセッサ２は、一方の電子機器だけが動作中ではない（ＮＯ）と判断した場合、均等な給電制御を継続する（ステップＳ３３）。一方の電子機器だけが動作中ではないとは、両電子機器とも動作中であるか、両電子機器とも停止中であることを意味する。
【００５８】
また、プロセッサ２は、一方の電子機器だけが動作中である（ＮＯ）と判断した場合、均等な給電ではなく停止中の電子機器に供給する電力量に比べて動作中の電子機器に供給する電力量を多くする給電を行わせる（ステップＳ３４）。プロセッサ２は、ステップＳ３３及びＳ３４のあとはステップＳ３１に戻って動作を行う。プロセッサ２は、いずれかの電子機器が電子機器カバー３０から取り外されるまで図９に表す動作手順を行う。
【００５９】
以上のとおり、本変形例の電子機器カバー３０のプロセッサ２は、第１表示機器１０及び第２表示機器２０の一方が動作していない場合、動作している方により多くの電力を供給させる。動作中の電子機器及び停止中の電子機器を比較すると、動作中の方が電力の消費速度が速いことが普通である。そこで、図８の例と同様に、電力の消費速度が速い動作中の電子機器の方により多くの電力を供給することで、バッテリー７１に蓄積された電力が尽きたときの電力残量の差が小さくなり、バッテリー７１が切れた後の両電子機器を共に利用可能な時間を長くすることができる。
【００６０】
なお、プロセッサ２は、一方の電子機器により多くの電力を供給する場合に、供給する電力の差分の大きさを各電子機器の状態に応じて異ならせてもよい。プロセッサ２は、例えば、実施例であれば、電力残量の差分が閾値以上である場合に、その差分が大きいほど供給させる電力量の差分を大きくする。また、プロセッサ２は、図８の例であれば、電力の消費速度の差分が閾値以上である場合に、その差分が大きいほど供給させる電力量の差分を大きくする。
【００６１】
いずれの場合も、両電子機器の電力残量が等しくなるまでの期間のばらつきを抑えることができる。また、プロセッサ２は、電力残量、電力の消費速度及び動作状況のうち２以上の状態に応じた電力をバッテリー７１から供給させてもよい。その場合、プロセッサ２は、例えば、電力残量の差が閾値以上の場合は電力残量が大きい方に所定の点数を付与し、電力の消費速度の差が閾値以上の場合は電力の消費速度が速い方に所定の点数を付与する。
【００６２】
また、プロセッサ２は、両表示機器のうち一方だけが動作している場合は動作中の方に所定の点数を付与する。プロセッサ２は、そうして付与した点数が大きい方の表示機器により多くの電力を供給させてもよい。このように電子機器の複数の状態に基づいて給電を制御することで、１つの状態だけに基づく場合に比べて、バッテリーに蓄積された電力が尽きたときの電力残量の差をより小さくすることができる。
【００６３】
また、プロセッサ２は、第１表示機器１０及び第２表示機器２０の電力残量及び電力の消費速度の両方を測定することで、両電子機器を共に利用可能な時間が最大となるように給電制御を行ってもよい。両電子機器を共に利用可能な時間が最大となるとは、バッテリー７１に蓄積された電力が尽きた後、両電子機器のバッテリーが切れるまでに要する時間が等しくなることを意味する。
【００６４】
電子機器のバッテリーが切れるまでに要する時間は、電力残量と電力の消費速度から求めることができる。例えば電力残量が５０％で電力の消費速度が毎分０．５％であれば、１００分でバッテリーが切れる計算になる。プロセッサ２は、こうして第１表示機器１０及び第２表示機器２０のそれぞれについてバッテリーが切れるまでに要する時間を算出し、その時間が等しくなるまでは、その時間が短い方の表示機器により多くの電力を供給させる。
【００６５】
そして、プロセッサ２は、バッテリーが切れるまでに要する時間が等しくなると、均等な給電制御に切り替える。また、プロセッサ２は、算出した時間の差が閾値以上になると、再び算出した時間が短い方の表示機器により多くの電力を供給させる。プロセッサ２は、この給電制御を繰り替えることで、両電子機器を共に利用可能な時間が最大となるような給電制御を行う。これにより、バッテリー７１が切れた後の両電子機器を共に利用可能な時間をより長くすることができる。
【００６６】
［２−２］交換可能なバッテリー
実施例では、バッテリー７１が電子機器カバー３０に対して完全に固定されていて着脱することができなかったが、これに限らない。
図１０は本変形例の電子機器カバー３０ａの外観を表す。図１０では、開いた状態の電子機器カバー３０ａを下側から見たところが表されている。電子機器カバー３０ａは、第１表示機器１０が固定される第１固定部４０ａと、第２表示機器２０が固定される第２固定部５０ａと、両固定部を連結する連結部６０ａとを備える。
【００６７】
第２固定部５０ａは、実施例の第２固定部５０と異なりバッテリーが内蔵されておらず、その分薄い板状の形をしている。代わりに、第２固定部５０ａは、第２表示機器２０を嵌め込む枠部５１ａの反対側に本変形例のバッテリー７１ａを保持するための枠部５４ａを備えている。枠部５４ａは、板状のバッテリー７１ａの側面を取り囲む枠の形をした部分である。
【００６８】
バッテリー７１ａは、給電端子７４ａと、充電端子７５ａとを備える。給電端子７４ａは、バッテリー７１ａが電子機器に給電するための凹型の端子である。充電端子７５ａは、バッテリー７１ａを充電するための凹型の端子である。枠部５４ａには、給電端子７４ａに差し込むための凸型の端子５５ａと、充電端子７５ａに差し込むための端子５６ａとが設けられている。端子５６ａは、凸型の部分と凹型の部分とを有し、凸型の部分が充電端子７５ａに差し込まれ、凹型の部分は枠部５４ａの外側に露出している。
【００６９】
外部電源と接続される充電用ケーブルの端子を端子５６ａの凹型の部分に差し込むことで、枠部５４ａに嵌め込んだ状態のバッテリー７１ａを充電することができるようになっている。端子５５ａには、配線７３ａが接続されている。配線７３ａは、第１固定部４０ａ、第２固定部５０ａ及び連結部６０ａに内蔵されており、端子５５ａに接続されるバッテリー７１ａと、第１表示機器１０に接続される端子４３ａと、第２表示機器２０に接続される端子５３ａとを結線する。
【００７０】
以上のとおり、本変形例では、バッテリー７１ａが、電子機器カバー３０ａに対して着脱可能であり、給電用の端子である給電端子７４ａを有する。そして、配線７３ａが、バッテリー７１ａの給電端子７４ａに接続する。この構成により、実施例と同様に電子機器カバー３０ａで保護される複数の電子機器（第１表示機器１０及び第２表示機器２０）の長時間の利用を可能にすることができると共に、電子機器カバー３０ａに固定されるバッテリーを交換することもできる。
【００７１】
［２−３］端子の形状
電子機器及び配線を接続する端子の形状が実施例と異なっていてもよい。
図１１は本変形例の電子機器カバー３０ｂの外観を表す。図１１では、開いた状態の電子機器カバー３０ｂを正面から見たところが表されている。電子機器カバー３０ｂは、第１固定部４０ｂと、第２固定部５０ｂと、両固定部を連結する連結部６０ｂとを備える。
【００７２】
第１固定部４０ｂは、枠部４１ｂと、板部４２ｂと、端子４３ｂとを有する。第２固定部５０ｂは、枠部５１ｂと、板部５２ｂと、端子５３ｂとを有する。端子４３ｂは、実施例の端子４３と異なり、枠部４１ｂではなく板部４２ｂに設けられている。また、端子５３ｂも、同様に、枠部５１ｂではなく板部５２ｂに設けられている。第２固定部５０ｂには、バッテリー７１ｂが内蔵されている。
【００７３】
端子４３ｂ、端子５３ｂ及びバッテリー７１ｂは、第１固定部４０ｂ、第２固定部５０ｂ及び連結部６０ｂに内蔵された配線７３ｂによって接続されている。この電子機器カバー３０ｂに固定される電子機器について図１２を参照して説明する。
図１２は本変形例の電子機器の外観を表す。図１２の例では、板状の第１表示機器１０ｂと、第２表示機器２０ｂとが表されている。
【００７４】
第１表示機器１０ｂは、表示面の裏側にある背面１３ｂに端子１１ｂが設けられている。第２表示機器２０ｂは、表示面の裏側にある背面２３ｂに端子２１ｂが設けられている。端子１１ｂは、充電用及び通信用の端子であり、第１表示機器１０ｂを第１固定部４０ｂの枠部４１ｂに嵌め込んだときに、端子４３ｂと接触する位置に設けられている。端子２１ｂは、充電用及び通信用の端子であり、第２表示機器２０ｂを第２固定部５０ｂの枠部５１ｂに嵌め込んだときに、端子５３ｂと接触する位置に設けられている。
【００７５】
つまり、第１表示機器１０ｂ及び第２表示機器２０ｂの充電用及び通信用の端子（端子１１ｂ及び端子２１ｂ）は、電子機器カバー３０ｂに固定された第１表示機器１０ｂ及び第２表示機器２０ｂの電子機器カバー３０ｂに対向する面（背面１３ｂ及び背面２３ｂ）に設けられている。また、配線７３ｂは、第１固定部４０ｂの端子４３ｂ及び第２固定部５０ｂの端子５３ｂを介して、それらの充電用及び通信用の端子（端子１１ｂ及び端子２１ｂ）に接続する。
【００７６】
本変形例では、第１表示機器１０ｂを枠部４１ｂに嵌め込んで電子機器カバー３０ｂに固定するだけで、端子１１ｂ及び端子４３ｂが接触して、第１表示機器１０ｂ及びバッテリー７１ｂが結線される。第２表示機器２０ｂについても同様である。実施例では端子４３が枠部４１に設けられていたので、枠部４１を撓ませて端子４３を第１表示機器１０の端子１１に差し込む作業が必要であったが、本変形例では、その作業が不要になり、電子機器を電子機器カバーに固定する際の手間を少なくすることができる。
【００７７】
［２−４］電源部
電子機器に電力を供給する電源部は、充電が可能なバッテリーに限らず、乾電池であってもよい。その場合は、図１０の例のように着脱可能（乾電池だけ着脱可能でもよいし、乾電池を収めるケースごと着脱可能でもよい）な電源部が用いられていればよい。
【００７８】
［２−５］給電制御の主体
上記の各例では、電子機器カバー３０のプロセッサ２が図７等に表す給電制御を行ったが、これに限らず、電子機器カバー３０に固定された電子機器のプロセッサが給電制御を行ってもよい。例えば、スマートフォンである第１表示機器１０に給電制御用のアプリケーションプログラム（アプリ）を導入し、第１表示機器１０のプロセッサ２が、そのアプリの機能により、配線７３を介して第２表示機器２０の電力残量等を取得して給電制御を行う。この場合の第１表示機器１０のプロセッサ２は本発明の「制御部」の一例である。
【００７９】
［２−６］電子機器
電子機器は、実施例で述べた表示機器（スマートフォン及びディスプレイ）に限らない。例えばタッチパネルだけを備える入力受付用の機器であってもよいし、無線ルータ等の通信用の機器であってもよい。要するに、電力が供給されて動作するものであれば、どのような電子機器が用いられてもよい。
【００８０】
［２−７］発明のカテゴリ
本発明は、電子機器を保護する電子機器カバー及びその電子機器カバーに電子機器を固定したユーザ端末として捉えられる。また、本発明は、上述した給電制御においてコンピュータ（電子機器カバー又は電子機器のプロセッサ２）によって実施される処理（動作）を実現するための情報処理方法としても捉えられ、また、そのコンピュータを機能させるためのプログラムとしても捉えられる。このプログラムは、それを記憶させた光ディスク等の記録媒体の形態で提供されてもよいし、インターネット等のネットワークを介してコンピュータにダウンロードさせ、それをインストールして利用可能にするなどの形態で提供されてもよい。
【００８１】
［２−８］「及び」、「又は」
本明細書において、「Ａ及びＢ」でも「Ａ又はＢ」でも実施可能な構成については、一方の表現で記載された構成を、他方の表現で記載された構成として用いてもよい。例えば「Ａ及びＢ」と記載されている場合、他の記載との不整合が生じず実施可能であれば、「Ａ又はＢ」として用いてもよい。
【００８２】
［２−９］態様のバリエーション等
本明細書で説明した各実施例は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【００８３】
以上、本発明について詳細に説明したが、当業者にとっては、本発明が本明細書中に説明した実施例に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００８４】
１…ユーザ端末、２…プロセッサ、８…バッテリー、１０…第１表示機器、２０…第２表示機器、３０…電子機器カバー、４０…第１固定部、４１…枠部、４２…板部、４３…端子、５０…第２固定部、５１…枠部、５２…板部、５３…端子、６０…連結部、７０…電力部、７１…バッテリー、７２…端子、７３…配線。
【図１】
2020120182.tif 000003
【図２】
2020120182.tif 000004
【図３】
2020120182.tif 000005
【図４】
2020120182.tif 000006
【図５】
2020120182.tif 000007
【図６】
2020120182.tif 000008
【図７】
2020120182.tif 000009
【図８】
2020120182.tif 000010
【図９】
2020120182.tif 000011
【図１０】
2020120182.tif 000012
【図１１】
2020120182.tif 000013
【図１２】
2020120182.tif 000014